【手続補正書】
【提出日】平成29年1月27日(2017.1.27)
【手続補正１】
【補正対象書類名】特許請求の範囲
【補正対象項目名】全文
【補正方法】変更
【補正の内容】
【特許請求の範囲】
【請求項１】
複数のレンズと前記複数のレンズ毎に複数設けられた受光部を有し、撮像光学系を透過した被写体からの光による像を撮像する撮像部と、
前記レンズ毎に前記受光部で撮像された前記被写体の像の位置に基づいて、前記撮像光学系の合焦状態を検出する検出部と、
を備える焦点検出装置。
【請求項２】
請求項１に記載の焦点検出装置において、
前記検出部は、前記被写体の像の位置として、前記被写体の像の前記レンズに対する位置を前記撮像光学系の合焦状態の検出に用いる焦点検出装置。
【請求項３】
請求項２に記載の焦点検出装置において、
前記検出部は、前記被写体の像の前記レンズに対する位置として、前記被写体の像の前記レンズの光軸に対する位置の違いを前記撮像光学系の合焦状態の検出に用いる焦点検出装置。
【請求項４】
請求項３に記載の焦点検出装置において、
前記検出部は、前記複数のレンズのうち第１のレンズに複数設けられた前記受光部からの信号と、第２のレンズに複数設けられた前記受光部からの信号とに基づいて、前記被写体の像の前記レンズの光軸に対する位置の違いを求める焦点検出装置。
【請求項５】
請求項４に記載の焦点検出装置において、
前記検出部は、前記第１のレンズに複数設けられた前記受光部からの信号と、前記第２のレンズに複数設けられた前記受光部からの信号との差分により、前記被写体の像の前記レンズの光軸に対する位置の違いを求める焦点検出装置。
【請求項６】
請求項５に記載の焦点検出装置において、
前記検出部は、前記差分として、前記第１のレンズの前記複数の受光部からの信号に対する、前記第２のレンズの前記複数の受光部からの信号のずらし量を変えながら前記差分を求め、求めた前記差分が最小となる前記ずらし量から、前記被写体の像の前記レンズの光軸に対する位置の違いを求める焦点検出装置。
【請求項７】
請求項１から請求項６までのいずれか一項に記載の焦点検出装置において、
前記受光部は、前記レンズに対して前記レンズの略焦点距離離れた位置に配置されている焦点検出装置。
【請求項８】
請求項１から請求項７までのいずれか一項に記載の焦点検出装置において、
前記複数のレンズは、二次元状に配置されている焦点検出装置。
【請求項９】
請求項１から請求項８までのいずれか一項に記載の焦点検出装置において、
前記検出部は、前記複数のレンズにより形成された被写体像を前記複数の受光部の一部で撮像した像と、前記複数の受光部の一部とは異なる前記受光部で撮像した像とのずれに基づいて、前記撮像光学系の合焦状態を検出する焦点検出装置。
【請求項１０】
請求項９に記載の焦点検出装置において、
前記撮像光学系の合焦レンズを駆動する駆動部を制御する制御部を備え、
前記レンズ毎に前記受光部で撮像された前記被写体の像による合焦状態を第１の合焦状態とし、前記複数のレンズの前記受光部で撮像された前記被写体の像による合焦状態を第２の合焦状態とし、
前記制御部は、前記第１の合焦状態に基づいて前記駆動部を制御した後に、前記第２の合焦状態に基づいて前記駆動部を制御する焦点検出装置。
【請求項１１】
請求項９に記載の焦点検出装置において、
前記レンズ毎に前記受光部で撮像された前記被写体の像による合焦状態を第１の合焦状態とし、前記複数のレンズにより形成され前記受光部で撮像された前記被写体の像による合焦状態を第２の合焦状態とし、
前記検出部は、前記第１の合焦状態の検出と、前記第２の合焦状態の検出とを切り替える焦点検出装置。 
【請求項１２】
請求項９に記載の焦点検出装置において、
前記レンズ毎に前記受光部で撮像された前記被写体の像による合焦状態を第１の合焦状態とし、前記複数のレンズにより形成され前記受光部で撮像された前記被写体の像による合焦状態を第２の合焦状態とし、
前記検出部は、前記第１の合焦状態の検出から前記第２の合焦状態の検出へ切り替える焦点検出装置。
【請求項１３】
請求項１２に記載の焦点検出装置において、
前記検出部は、前記第２の合焦状態として前記撮像光学系の焦点ずれ量を算出し、前記焦点ずれ量が所定のしきい値以下であると、前記第２の合焦状態の検出へ切り替える焦点検出装置。
【請求項１４】
請求項１２に記載の焦点検出装置において、
前記検出部は、前記第２の合焦状態として前記撮像光学系の焦点ずれ量を算出し、前記焦点ずれ量の信頼性が所定値以上であると、前記第２の合焦状態の検出へ切り替える焦点検出装置。
【請求項１５】
請求項１２に記載の焦点検出装置において、
前記検出部は、前記第２の合焦状態として前記撮像光学系の焦点ずれ量が算出できると、前記第２の合焦状態による前記撮像光学系の焦点状態の検出へ切り替える焦点検出装置。
【請求項１６】
請求項９に記載の焦点検出装置において、
前記レンズ毎に前記受光部で撮像された前記被写体の像による合焦状態を第１の合焦状態とし、前記複数のレンズにより形成され前記受光部で撮像された前記被写体の像による合焦状態を第２の合焦状態とし、
前記検出部は、前記第２の合焦状態の検出から前記第１の合焦状態の検出へ切り替える焦点検出装置。
【請求項１７】
請求項１６に記載の焦点検出装置において、
前記検出部は、前記第２の合焦状態として前記撮像光学系の焦点ずれ量を算出し、前記焦点ずれ量が所定のしきい値よりも大きいと、前記第１の合焦状態の検出へ切り替える焦点検出装置。
【請求項１８】
請求項１６に記載の焦点検出装置において、
前記検出部は、前記第２の合焦状態として前記撮像光学系の焦点ずれ量を算出し、前記焦点ずれ量の信頼性が所定値よりも小さいと、前記第１の合焦状態の検出へ切り替える焦点検出装置。
【請求項１９】
請求項１６に記載の焦点検出装置において、
前記検出部は、前記第２の合焦状態として前記撮像光学系の焦点ずれ量を算出できないと、前記第１の合焦状態の検出へ切り替える焦点検出装置。
【請求項２０】
請求項９に記載の焦点検出装置において、
前記レンズ毎に前記受光部で撮像された前記被写体の像による合焦状態を第１の合焦状態とし、前記複数のレンズにより形成され前記受光部で撮像された前記被写体の像による合焦状態を第２の合焦状態とし、
前記検出部は、前記第１の合焦状態の検出と、前記第２の合焦状態の検出との両方を行う焦点検出装置。
【請求項２１】
請求項２０に記載の焦点検出装置において、
前記検出部は、前記第１の合焦状態と前記第２の合焦状態とのうちで前記撮像光学系の合焦状態を最初にできた方で前記撮像光学系の合焦状態の検出を行う焦点検出装置。
【請求項２２】
請求項２０に記載の焦点検出装置において、
前記検出部は、前記撮像光学系の合焦点状態として前記撮像光学系の焦点ずれ量を算出し、
前記第１の合焦状態により算出した前記撮像光学系の焦点ずれ量と、前記第２の合焦状態により算出した前記撮像光学系の焦点ずれ量との両方の焦点ずれ量を前記撮像光学系の焦点ずれ量とする焦点検出装置。
【請求項２３】
請求項２２に記載の焦点検出装置において、
前記検出部は、前記第１の合焦状態により算出した前記撮像光学系の焦点ずれ量と、前記第２の合焦状態により算出した前記撮像光学系の焦点ずれ量との加重平均を前記撮像光学系の焦点ずれ量とする焦点検出装置。
【請求項２４】
請求項１から請求項２３までのいずれか一項に記載の焦点検出装置を備える撮像装置。
【手続補正２】
【補正対象書類名】明細書
【補正対象項目名】発明の名称
【補正方法】変更
【補正の内容】
【発明の名称】焦点検出装置および撮像装置
【手続補正３】
【補正対象書類名】明細書
【補正対象項目名】０００１
【補正方法】変更
【補正の内容】
【０００１】
本発明は、焦点検出装置および撮像装置に関する。
【手続補正４】
【補正対象書類名】明細書
【補正対象項目名】０００５
【補正方法】変更
【補正の内容】
【０００５】
請求項１に記載の焦点検出装置は、複数のレンズと前記複数のレンズ毎に複数設けられた受光部を有し、撮像光学系を透過した被写体からの光による像を撮像する撮像部と、前記レンズ毎に前記受光部で撮像された前記被写体の像の位置に基づいて、前記撮像光学系の合焦状態を検出する検出部と、を備える。